(57)【要約】【課題】  パーティ（ウェディング）の内容をより充実させてサービスの付加価値を高めるとともに、ウェディングに対して招待者にとってもより積極的に参加を行うことにより、カップルに対する祝福を行えるようにする。【解決手段】  初期データＤｆに基づきゲストサイトＶｓへのアクセス情報７ａ，７ｂを表示した招待状６を作成する招待状作成手段Ｆ２と、メッセージデータＤｍに基づきゲストサイトＶｓへのアクセス情報７ａ，７ｂを表示したウェルカムカード８を作成するカード作成手段Ｆ４と、ウェルカムカード８に表示されたアクセス情報７ａ，７ｂに基づきウェブサーバ２上に設けたゲストサイトＶｓにアクセスした招待者Ｈｃ…の端末装置５…からウェブサーバ２に送信された写真データＤｐを登録する写真データ登録手段Ｆ５などの主要部を備える。【選択図】  図１
2007264812.tif 000002
【特許請求の範囲】
【請求項１】
ウェブサーバ上に開設したウェブサイト及びこのウェブサイトにインターネットを介してアクセス可能に接続した、サービス提供者の端末装置，パーティを主催する当事者の端末装置及びパーティに招待される招待者の端末装置を利用したパーティ支援システムにおいて、当事者の端末装置から前記ウェブサーバに送信された、少なくとも当事者及び招待者に係わる初期データを登録する初期データ登録手段と、初期データに基づき、少なくともゲストサイトへのアクセス情報を表示した招待状を作成するサービス提供者の端末装置に付属する招待状作成手段と、招待状に表示されたアクセス情報に基づき、ウェブサーバ上に設けたゲストサイトにアクセスした招待者の端末装置から前記ウェブサーバに送信された、少なくともメッセージデータを登録するメッセージデータ登録手段と、メッセージデータに基づき、少なくともゲストサイトへのアクセス情報を表示したウェルカムカードを作成するサービス提供者の端末装置に付属するカード作成手段と、ウェルカムカードに表示されたアクセス情報に基づき、ウェブサーバ上に設けたゲストサイトにアクセスした招待者の端末装置から前記ウェブサーバに送信された、少なくとも写真データを登録する写真データ登録手段を備えることを特徴とするパーティ支援システム。
【請求項２】
前記アクセス情報は、パーソナルコンピュータ及び／又は携帯電話からアクセス可能なＵＲＬ及び／又は二次元コードを用いることを特徴とする請求項１記載のパーティ支援システム。
【請求項３】
前記ＵＲＬ及び／又は二次元コードには、招待者毎に異なるＩＤコードを含むことを特徴とする請求項２記載のパーティ支援システム。
【請求項４】
前記初期データには、少なくとも、当事者データ，招待者の名簿データ，前記ウェブサイトに設定された招待状及びウェルカムカードに係わるデザインの選択データの一又は二以上を含むことを特徴とする請求項１記載のパーティ支援システム。
【請求項５】
前記メッセージデータには、パーティに係わる出欠席データを含むことを特徴とする請求項１記載のパーティ支援システム。
【請求項６】
前記ウェブサイトには、招待者を一又は二以上のグループに分けたグループ単位で情報交換可能に設定することにより、少なくとも招待者同士の情報交換を行うことができる掲示板，チャット等の情報交換手段を備えることを特徴とする請求項１記載のパーティ支援システム。
【請求項７】
前記写真データ登録手段に登録された写真データに基づき、少なくとも、ＣＤ，ＤＶＤ等の記録ディスクを含む記録メディアを作成するサービス提供者の端末装置に付属するメディア作成手段を備えることを特徴とする請求項１記載のパーティ支援システム。
【発明の詳細な説明】
【技術分野】
【０００１】
本発明は、ウェブサーバ上に開設したウェブサイトにインターネットを介してアクセス可能に接続した、サービス提供者，パーティの当事者及び招待者に係わる端末装置を利用したパーティ支援システムに関する。
【背景技術】
【０００２】
従来、ウェブサーバ上に開設した、ウェディング（パーティ：結婚披露宴）を支援するウェブサイト及びこのウェブサイトにインターネットを介してアクセス可能に接続した、サービス提供者の端末装置，パーティを主催する当事者の端末装置及びパーティに招待される招待者の端末装置を利用したパーティ支援システムは、例えば、特開２００２−９２２０１号公報で開示される結婚式情報閲覧及び交換システムが知られている。
【０００３】
同公報で開示されるシステムは、式当日までの任意の時間における互いの情報交換，新郎新婦の人物紹介，二次会の参加予定者の人数把握ができるように、ウェブサーバに、結婚式・披露宴の日時、場所、地図、交通機関や時刻表などの会場案内データと、結婚するカップルのプロフィールなどの人的データと、二次会の案内や情報交換を行う掲示板機能と、結婚するカップルや両家の親族宛の祝辞メールを受信するメール機能とを備え、予め案内状などで出席予定者に知らせたパスワードによりウェブサーバのインデックスページにインターネット又は携帯電話の情報サービスネットを介してアクセスできるようにしたものである。
【特許文献１】特開２００２−９２２０１号
【発明の開示】
【発明が解決しようとする課題】
【０００４】
しかし、上述した従来のパーティ支援システム（結婚式情報閲覧及び交換システム）は、次のような問題点があった。
【０００５】
第一に、従来より行われていた電話，手紙，ＦＡＸ等の連絡方法では不便な点に鑑み、主に連絡に着目した観点からインターネットを利用するものであるため、連絡を行う際における利便性は高まるものの、パーティ（ウェディング）の内容をより充実させて付加価値を高めるという観点からは十分とは言えず、特に、サービス提供者がビジネスとして実施するには、サービスの内容において不十分である。
【０００６】
第二に、ウェディングに対しては、招待者にとってもより積極的に参加を行うことにより、カップル（ウェディングの当事者）に対して祝福できるようにすることが望ましいが、従来のシステムでは、招待者がウェディングに対してより参加できるようにする観点からは不十分である。
【０００７】
本発明は、このような背景技術に存在する課題を解決したパーティ支援システムの提供を目的とするものである。
【課題を解決するための手段】
【０００８】
本発明は、上述した課題を解決するため、ウェブサーバ２上に開設したウェブサイトＷｓ及びこのウェブサイトＷｓにインターネットＮを介してアクセス可能に接続した、サービス提供者Ｈａの端末装置３，パーティを主催する当事者Ｈｂの端末装置４及びパーティに招待される招待者Ｈｃ…の端末装置５…を利用したパーティ支援システム１を構成するに際して、当事者Ｈｂの端末装置４からウェブサーバ２に送信された、少なくとも当事者Ｈｂ及び招待者Ｈｃ…に係わる初期データＤｆを登録する初期データ登録手段Ｆ１と、初期データＤｆに基づき、少なくともゲストサイトＶｓへのアクセス情報７ａ，７ｂを表示した招待状６を作成するサービス提供者Ｈａの端末装置３に付属する招待状作成手段Ｆ２と、招待状６に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくともメッセージデータＤｍを登録するメッセージデータ登録手段Ｆ３と、メッセージデータＤｍに基づき、少なくともゲストサイトＶｓへのアクセス情報７ａ，７ｂを表示したウェルカムカード８を作成するサービス提供者Ｈａの端末装置３に付属するカード作成手段Ｆ４と、ウェルカムカード８に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくとも写真データＤｐを登録する写真データ登録手段Ｆ５を備えることを特徴とする。
【０００９】
この場合、発明の好適な態様により、アクセス情報（７ａ，７ｂ）には、パーソナルコンピュータＰｃ及び／又は携帯電話Ｔｈからアクセス可能なＵＲＬ７ａ及び／又は二次元コード７ｂを用いることができるとともに、ＵＲＬ７ａ及び／又は二次元コード７ｂには、招待者Ｈｃ…毎に異なるＩＤコード７ａｉ…，７ｂｉ…を含ませることができる。また、初期データＤｆには、少なくとも、当事者データＤｏ，招待者Ｈｃ…の名簿データＤｎ，ウェブサイトＷｓに設定された招待状６及びウェルカムカード８に係わるデザインの選択データＤｃの一又は二以上を含ませることができる。さらに、メッセージデータＤｍには、パーティに係わる出欠席データＤａを含ませることができる。一方、ウェブサイトＷｓには、招待者Ｈｃ…を一又は二以上のグループに分けたグループ単位で情報交換可能に設定することにより、少なくとも招待者Ｈｃ…同士の情報交換を行うことができる掲示板，チャット等の情報交換手段Ｆ６を設けることができるとともに、写真データ登録手段Ｆ５に登録された写真データＤｐに基づき、少なくとも、ＣＤ，ＤＶＤ等の記録ディスク１２を含む記録メディアを作成するサービス提供者Ｈａの端末装置３に付属するメディア作成手段Ｆ７を設けることができる。
【発明の効果】
【００１０】
このような構成を有する本発明に係るパーティ支援システム１によれば、次のような顕著な効果を奏する。
【００１１】
（１）  メッセージデータＤｍに基づき、少なくともゲストサイトＶｓへのアクセス情報７ａ，７ｂを表示したウェルカムカード８を作成するカード作成手段Ｆ４やウェルカムカード８に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくとも写真データＤｐを登録する写真データ登録手段Ｆ５などを備えるため、パーティ（ウェディング）に係わる連絡を行う際における利便性を高めることに加え、パーティの内容をより充実させてサービスの付加価値を高めることができる。
【００１２】
（２）  招待状６に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくともメッセージデータＤｍを登録するメッセージデータ登録手段Ｆ３やウェルカムカード８に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくとも写真データＤｐを登録する写真データ登録手段Ｆ５を備えるため、ウェディングに対して招待者Ｈｃ…にとってもより積極的に参加を行うことにより、カップル（ウェディングの当事者Ｈｂ）に対するより望ましい祝福を行うことができる。
【００１３】
（３）  好適な態様により、アクセス情報（７ａ，７ｂ）に、パーソナルコンピュータＰｃ及び／又は携帯電話Ｔｈからアクセス可能なＵＲＬ７ａ及び／又は二次元コード７ｂを用いれば、招待者Ｈｃ…は、ゲストサイトＶｓに対して、パーソナルコンピュータＰｃのみならず、携帯電話Ｔｈからも容易にアクセスすることができる。
【００１４】
（４）  好適な態様により、ＵＲＬ７ａ及び／又は二次元コード７ｂに、招待者Ｈｃ…毎に異なるＩＤコード７ａｉ…，７ｂｉ…を含ませれば、例えば、招待者Ｈｃ…の個人名の入ったゲストサイトＶｓにアクセス可能になり、親近感をより高めることができるとともに、アクセス者を容易かつ確実に識別することができるため、セキュリティ機能の向上に寄与することができる。
【００１５】
（５）  好適な態様により、メッセージデータＤｍに、パーティに係わる出欠席データＤａを含ませれば、パーティをはじめ、二次会等の出欠席を容易かつ迅速に確認することができる。
【００１６】
（６）  好適な態様により、ウェブサイトＷｓに、招待者Ｈｃ…を一又は二以上のグループに分けたグループ単位で情報交換可能に設定することにより、少なくとも招待者Ｈｃ…同士の情報交換を行うことができる掲示板，チャット等の情報交換手段Ｆ６を設ければ、例えば、グループ内でお祝いの打ち合わせを行う等、情報交換をスムースに進めることができる。
【００１７】
（７）  好適な態様により、写真データ登録手段Ｆ５に登録された写真データＤｐに基づき、少なくとも、ＣＤ，ＤＶＤ等の記録ディスク１２を含む記録メディアを作成するメディア作成手段Ｆ７を設ければ、より具体的な形でサービス提供、更にはパーティ（ウェディング）の付加価値を高めることができる。
【発明を実施するための最良の形態】
【００１８】
次に、本発明に係る最良の実施形態を挙げ、図面に基づき詳細に説明する。
【００１９】
まず、本実施形態に係るパーティ支援システム１の構成について、図１を参照して説明する。
【００２０】
パーティ支援システム１は、基本的なシステム構成として、図１に示すように、ウェブサーバ２上に開設したウェブサイトＷｓ及びこのウェブサイトＷｓにインターネットＮを介してアクセス可能に接続した、サービス提供者Ｈａの端末装置３，パーティを主催する当事者Ｈｂの端末装置４及びパーティに招待される招待者Ｈｃ…の端末装置５…を利用する。
【００２１】
ウェブサーバ２には、各種データをデータベースとして登録する記憶装置２１が付属し、この記憶装置２１は、当事者Ｈｂの端末装置４からウェブサーバ２に送信された、少なくとも当事者Ｈｂ及び招待者Ｈｃ…に係わる初期データＤｆを登録する初期データ登録手段Ｆ１，後述する招待状６に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくともメッセージデータＤｍを登録するメッセージデータ登録手段Ｆ３，後述するウェルカムカード８に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくとも写真データＤｐを登録する写真データ登録手段Ｆ５の主要部を構成する。
【００２２】
また、ウェブサイト（ホームページ）Ｗｓのイメージは、図１０に示すように構成されている。なお、図１０は、後述するウェブアルバムＶａを示す。さらに、ウェブサイトＷｓ（ゲストサイトＶｓ）には、招待者Ｈｃ…を一又は二以上のグループに分けたグループ単位で情報交換可能に設定することにより、少なくとも招待者Ｈｃ…同士の情報交換を行うことができる掲示板を用いた情報交換手段Ｆ６を備えている。
【００２３】
一方、サービス提供者Ｈａの端末装置３は、コンピュータシステムを示す。この端末装置３には、印刷装置（プリンタ）２２及びＣＤドライブ２３が付属し、印刷装置２２は、初期データＤｆに基づき、少なくともゲストサイトＶｓへのアクセス情報７ａ，７ｂを表示した後述する招待状６を作成する招待状作成手段Ｆ２の主要部を構成するとともに、メッセージデータＤｍに基づき、少なくともゲストサイトＶｓへのアクセス情報７ａ，７ｂを表示した後述するウェルカムカード８を作成するカード作成手段Ｆ４の主要部を構成する。また、ＣＤドライブ２３は、ＣＤ（記録ディスク）１２を用いて記録メディアを作成するメディア作成手段Ｆ７の主要部を構成する。このため、端末装置３には、招待状作成手段Ｆ２，カード作成手段Ｆ４及びメディア作成手段Ｆ７を実行させるための処理プログラム２４が格納されている。なお、端末装置３のコンピュータシステムは、一台のコンピュータであってもよいし複数のコンピュータにより構成されていてもよい。
【００２４】
他方、当事者Ｈｂの端末装置４は、パーソナルコンピュータ（パソコン）を示す。また、招待者Ｈｃ…の端末装置５…は、パソコンＰｃと携帯電話Ｔｈを示す。したがって、招待者Ｈｃ…は、後述するゲストサイトＶｓに対して、パソコンＰｃ及び携帯電話Ｔｈのどちらでもアクセスすることが可能である。なお、端末装置５…には、その他、ＰＤＡ等の各種モバイラや各種コンピューティング装置を利用することができる。
【００２５】
次に、本実施形態に係るパーティ支援システム１の利用方法及び機能について、図１，図３〜図１０を参照しつつ図２に示すフローチャートに従って説明する。
【００２６】
まず、ウェディング（パーティ）を行うカップル（当事者Ｈｂ）は、端末装置４からインターネットＮを介してウェブサイト（ホームページ）Ｗｓにアクセスする。そして、パーティ支援システム１によるサービスを受ける前提として各種データの登録を行う（ステップＳ１）。この場合、初期データ登録手段Ｆ１により、少なくとも当事者Ｈｂ及び招待者Ｈｃ…に係わる初期データＤｆを登録する。初期データＤｆには、当事者Ｈｂの住所，氏名，パーティ会場，開催日等の当事者データＤｏ、招待者Ｈｃ…の名簿データＤｎ、ウェブサイトＷｓに設定された招待状６及びウェルカムカード８に係わるデザインに対する選択データＤｃ等が含まれるため、ウェブサイト（ホームページ）Ｗｓにおける登録手順に従ってデータの入力及び送信を行う。なお、招待者Ｈｃ…の名簿データＤｎには、招待者Ｈｃ…を一又は二以上のグループに分けるためのデータが含まれ、このデータにより掲示板の利用がグループ毎に分けられる。これらのデータは、端末装置４からウェブサーバ２に送信され、ウェブサーバ２の記憶装置２１にデータベースとして登録される（ステップＳ２）。また、当事者Ｈｂは、サービスを受けるための申込を行うとともに、カード決済による料金の支払いを行う（ステップＳ３）。これにより、サービスの申込が正式に受付される（ステップＳ４）。そして、ウェブサーバ２上には当事者Ｈｂの専用サイトが立ち上がる（ステップＳ５）。
【００２７】
一方、初期データＤｆの登録完了により、サービス提供者Ｈａは、初期データＤｆに基づき、招待状作成手段Ｆ２を構成する図１に示す印刷装置２２を用いて、少なくともゲストサイトＶｓへのアクセス情報７ａ，７ｂを表示した招待状６…を作成（印刷）し、作成した招待状６…を招待者Ｈｃ…に対して発送（郵送）する（ステップＳ６）。図６に招待状６のおもて面を示す。なお、図示は省略したが、招待状６の裏面には、一般的な招待状（案内状）の紙面が表示されている。サービス提供者Ｈａは、図３に示すように、管理セクションＨａｃと処理セクションＨａｍに分かれており、管理セクションＨａｃは、登録された初期データＤｆを、ステータス管理システム（管理コンピュータ）３１に送信するとともに、さらに、処理セクションＨａｍに送信する。そして、処理セクションＨａｍにおいて、招待状６…の作成及び発送を行う。招待状６は、予め選択した選択データＤｃに基づくデザインにより表裏面が作成されるとともに、特に、おもて面には、図６に示すように、ゲストサイトＶｓにアクセスするためのアクセス情報（７ａ，７ｂ）、即ち、パーソナルコンピュータＰｃ及び携帯電話Ｔｈからアクセス可能なＵＲＬ７ａ及び二次元コード（ＱＲコード）７ｂを表示する。ＵＲＬ７ａ及び二次元コード７ｂには、招待者Ｈｃ…毎に異なる、例えば、６桁番号によるＩＤコード７ａｉ…，７ｂｉ…を含ませる。
【００２８】
他方、招待状６を受取った招待者Ｈｃは、招待状６に表示されたＵＲＬ７ａ及び二次元コード７ｂに基づき、ウェブサーバ２上に設けたゲストサイトＶｓにアクセスすることができる（ステップＳ７，Ｓ８）。即ち、図７に示すように、招待者Ｈｃの端末装置５がパソコンＰｃの場合には、ウェブブラウザのＵＲＬ入力部（アドレスバー）４１に、ＩＤコード７ａｉを含むＵＲＬ７ａを入力する。また、招待者Ｈｃの端末装置５が携帯電話Ｔｈの場合には、携帯電話ＴｈにＩＤコード７ｂｉを含む二次元コード７ｂを読取らせる。これにより、ウェブサーバ２では、ＩＤコード７ａｉ又は７ｂｉを確認し、このＩＤコード７ａｉ又は７ｂｉに対応するゲストサイト（画面）Ｖｓを表示する（ステップＳ９）。図７は、パソコンＰｃに表示されるゲストサイトＶｓｐの画面を示し、図８は、携帯電話Ｔｈに表示されるゲストサイトＶｓｔの画面を示す。ゲストサイトＶｓｐ，Ｖｓｔの画面は、招待者Ｈｃ…毎に表示されるため、ゲストサイトＶｓｐの画面には、招待者Ｈｃの個人名４２が表示される。したがって、親近感がより高められるとともに、アクセス者を容易かつ確実に識別できるため、セキュリティ機能の向上に寄与することができる。なお、パソコンＰｃのゲストサイトＶｓｐの画面には、携帯電話Ｔｈ用の二次元コード７ｂが表示されるため、携帯電話ＴｈのゲストサイトＶｓｔにも容易にアクセスできる。
【００２９】
ゲストサイトＶｓｐの画面には、図７に示すように、メニュー４３が表示されるため、「出欠席連絡」４４，「メッセージ／写真送信」４５，「Ｗｅｂアルバム」４６，「グループ掲示板」４７を選択することができる。招待状６を受取った時点では、パーティ（ウェディング）前であるため、「出欠席連絡」４４を選択してパーティ（披露宴）或いは二次会に対する出欠席を送信（連絡）するとともに、「メッセージ／写真送信」４５を選択して新郎新婦に対するお祝いメッセージ（メッセージデータＤｍ）や過去の写真（写真データＤｐ）を送信する（ステップＳ１０）。このような「出欠席連絡」４４を設けることにより、パーティをはじめ、二次会等の出欠席を容易かつ迅速に確認することができる。このときに送信したメッセージや写真等は、パーティで配布される後述するウェルカムカード８に掲載される。そして、ウェブサーバ２では、メッセージデータＤｍ及び写真データＤｐを受信したなら、メッセージデータ登録手段Ｆ３によりデータベースとして登録する（ステップＳ１１）。
【００３０】
一方、ゲストサイトＶｓｐの画面では、さらに「グループ掲示板」４７を選択することにより、掲示板への書込みを行うことができる（ステップＳ１２）。この場合、掲示板の利用は、予めグループ分けしたグループ単位で行う。グループとは、例えば、「大学サークル」グループ，「大学ゼミ」グループ，「会社同僚」グループ，「高校同級生グループ」等であり、これらのグループ単位で情報交換可能に設定してある。したがって、グループ内でお祝いの打ち合わせを行う等、情報交換をスムースに進めることができる。
【００３１】
図８に示す携帯電話ＴｈによりアクセスしたゲストサイトＶｓｔの画面においても、基本的には同様の利用を行うことができる。図８において、「パーティ情報」４８を選択すれば、パーティに係わる情報を表示させることができる。また、「出欠席連絡」４９は、上述した「出欠席連絡」４４に対応し、「メッセージ送信」５０は、上述した「メッセージ／写真送信」４５に対応する。なお、写真は、携帯電話Ｔｈのメール送信機能により添付写真として送信することができる。さらに、「グループ掲示板」５１は、上述した「グループ掲示板」４７に対応する。
【００３２】
他方、サービス提供者Ｈａは、登録されたメッセージデータＤｍ及び写真データＤｐに基づき、カード作成手段Ｆ４を構成する図１に示す印刷装置２２を用いてウェルカムカード８を作成（印刷）し、作成したウェルカムカード８をウェディング当日までに当事者Ｈｂに発送（郵送）する（ステップＳ１３，Ｓ１４）。ウェルカムカード８の作成及び発送は、処理セクションＨａｍで行う。ウェルカムカード８のデザインの一例を図９に示す。例示の場合、９件のお祝いメッセージがメッセージ掲載欄４９に掲載されている。なお、ウェルカムカード８のデザインは、予め選択した選択データＤｃに基づくデザインにより作成される。また、ウェルカムカード８には、パーティ等で撮影した写真やメッセージの送信をお願いする説明欄５０を設けるとともに、招待状６の場合と同様に、ゲストサイトＶｓへのアクセス情報（７ａ，７ｂ）、即ち、パーソナルコンピュータＰｃ及び／又は携帯電話Ｔｈからアクセス可能なＵＲＬ７ａ及び二次元コード（ＱＲコード）７ｂを表示する。この場合も招待状６の場合と同様に、ＵＲＬ７ａ及び二次元コード７ｂには、招待者Ｈｃ…毎に異なる、６桁番号を用いたＩＤコード７ａｉ…，７ｂｉ…を含ませる。この場合。招待状６のＵＲＬ７ａ及び二次元コード７ｂとウェルカムカード８のＵＲＬ７ａ及び二次元コード７ｂは、同一であってもよいし異ならせてもよい。
【００３３】
そして、ウェルカムカード８は、パーティ（披露宴）の当日に、当事者Ｈｂから来場した招待者Ｈｃ…に配布する（ステップＳ１５，Ｓ１６）。したがって、招待者Ｈｃ…は、ウェルカムカード８に掲載された色々なお祝いメッセージを見ることができ、いわばパーティに花を添えることができる。
【００３４】
また、招待者Ｈｃ…は、後日、ウェルカムカード８に表示されたＵＲＬ７ａ及び二次元コード７ｂに基づき、ウェブサーバ２上に設けたゲストサイトＶｓにアクセスすることができる（ステップＳ１７）。即ち、招待状６の場合と同様に、招待者Ｈｃの端末装置５がパソコンＰｃの場合には、図７に示すように、ウェブブラウザのＵＲＬ入力部（アドレスバー）４１に、ＩＤコード７ａｉを含むＵＲＬ７ａを入力する。また、招待者Ｈｃの端末装置５が携帯電話Ｔｈの場合には、携帯電話ＴｈにＩＤコード７ｂｉを含む二次元コード７ｂを読取らせる。これにより、ウェブサーバ２では、ＩＤコード７ａｉ又は７ｂｉを確認し、このＩＤコード７ａｉ又は７ｂｉに対応するゲストサイト（画面）Ｖｓを表示する（ステップＳ１８）。
【００３５】
前述したように、ゲストサイトＶｓの画面には、図７に示すように、メニュー４３が表示されるとともに、ウェルカムカード８に基づき、ゲストサイトＶｓにアクセスする時点では、パーティ（ウェディング）の終了後であるため、「メッセージ／写真送信」４５を選択して新郎新婦に対するウェディング終了後の感想（メッセージデータＤｍ）やパーティで撮影した写真（写真データＤｐ）を送信する（ステップＳ１９）。これにより、ウェブサーバ２は、メッセージデータＤｍ及び写真データＤｐを受信したなら、写真データ登録手段Ｆ５により登録を行う（ステップＳ２０）。また、このときのメッセージや写真は、ウェブサイトＷｓ上に設けたウェブアルバムＶａ（図１０）に掲載される。図１０はウェブアルバムＶａの一例を示す。このウェブアルバムＶａは、メニュー４３の「Ｗｅｂアルバム」４６を選択することにより、招待者Ｈｃ…が閲覧することができる。
【００３６】
一方、ウェブアルバムＶａは、最終的に、メディア作成手段Ｆ７を構成するＣＤドライブ２３によりＣＤ（記録ディスク）１２に書き込みを行い記録メディアを作成し、作成した記録メディアは、当事者Ｈｂに発送する（ステップＳ２１，Ｓ２２）。なお、必要により、写真を提供した感謝の意味を込めて招待者Ｈｃ…全員に同様の記録メディアを発送してもよい（ステップＳ２１，Ｓ２３）。このようなＣＤ１２を作成することにより、より具体的な形でサービス提供、更にはパーティ（ウェディング）の付加価値を高めることができる。
【００３７】
これにより、サービス提供者Ｈａによる基本的なサービスが終了する。図３は、以上の説明による一連の処理の流れを系統図により示したものである。また、このような一連の処理の流れは、ウェブサーバ２からステータス情報としてステータス管理システム３１に送信されるため、ステータス管理システム３１では、一連の処理が管理される。例えば、図４に示すように、ウェルカムカード８の作成は、パーティ開催日の１０日前から行うとともに、ＣＤ（記録ディスク）１２の作成は、パーティ開催日の１０日後に行うなど、必要な管理項目と期間が設定されている。また、図５に示すように、案内状６の発送，ウェルカムカード８の発送，ＣＤ１２の発送なども、ステータス管理システム３１により管理されている。
【００３８】
このように、本実施形態に係るパーティ支援システム１によれば、メッセージデータＤｍに基づき、少なくともゲストサイトＶｓへのアクセス情報７ａ，７ｂを表示したウェルカムカード８を作成するカード作成手段Ｆ４やウェルカムカード８に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくとも写真データＤｐを登録する写真データ登録手段Ｆ５などを備えるため、パーティ（ウェディング）に係わる連絡を行う際における利便性を高めることに加え、パーティの内容をより充実させてサービスの付加価値を高めることができる。また、招待状６に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくともメッセージデータＤｍを登録するメッセージデータ登録手段Ｆ３やウェルカムカード８に表示されたアクセス情報７ａ，７ｂに基づき、ウェブサーバ２上に設けたゲストサイトＶｓにアクセスした招待者Ｈｃ…の端末装置５…からウェブサーバ２に送信された、少なくとも写真データＤｐを登録する写真データ登録手段Ｆ５を備えるため、ウェディングに対して招待者Ｈｃ…にとってもより積極的に参加を行うことにより、カップル（ウェディングの当事者）に対するより望ましい祝福を行うことができる。
【００３９】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、初期データＤｆ，メッセージデータＤｍ及び写真データＤｐの内容は、例示に限定されるものではなく、各種データを含ませることができる。また、情報交換手段Ｆ６として、掲示板を挙げたがチャットができるようにした情報交換手段Ｆ６であってもよい。さらに、記録メディアとしてＣＤ（記録ディスク）１２を例示したが、ＤＶＤ等の他の記録ディスクであってもよいし、ビデオテープ等の他の記録メディアであってもよい。したがって、本発明における「写真」はメッセージ付写真や動画等も含む概念である。
【図面の簡単な説明】
【００４０】
【図１】本発明の最良の実施形態に係るパーティ支援システムの全体を示すシステム構成図、
【図２】同パーティ支援システムの利用方法を順を追って説明するためのフローチャート、
【図３】同パーティ支援システムを利用した際における一連の処理の流れを示すブロック系統図、
【図４】同パーティ支援システムにおけるステータス管理の説明図、
【図５】同パーティ支援システムにおけるステータス管理の他の説明図、
【図６】同パーティ支援システムの利用時に用いる招待状の正面図、
【図７】同パーティ支援システムにおけるパソコンに表示されるゲストサイトの画面構成図、
【図８】同パーティ支援システムにおける携帯電話に表示されるゲストサイトの画面構成図、
【図９】同パーティ支援システムの利用時に用いるウェルカムカードの正面図、
【図１０】同パーティ支援システムにおけるウェブアルバムの画面構成図、
【符号の説明】
【００４１】
１：パーティ支援システム，２：ウェブサーバ，３：端末装置，４：端末装置，５…：端末装置，６：招待状，７ａ：ＵＲＬ（アクセス情報），７ｂ：二次元コード（アクセス情報），７ａｉ：ＩＤコード，７ｂｉ：ＩＤコード，８：ウェルカムカード，１２：記録ディスク，Ｗｓ：ウェブサイト，Ｖｓ：ゲストサイト，Ｎ：インターネット，Ｈａ：サービス提供者，Ｈｂ：当事者，Ｈｃ…：招待者，Ｄｆ：初期データ，Ｄｍ：メッセージデータ，Ｄｐ：写真データ，Ｄｏ：当事者データ，Ｄｎ：名簿データ，Ｄｃ：選択データ，Ｄａ：出欠席データ，Ｆ１：初期データ登録手段，Ｆ２：招待状作成手段，Ｆ３：メッセージデータ登録手段，Ｆ４：カード作成手段，Ｆ５：写真データ登録手段，Ｆ６：情報交換手段，Ｆ７：メディア作成手段，Ｐｃ：パーソナルコンピュータ，Ｔｈ：携帯電話
【図１】
2007264812.tif 000003
【図２】
2007264812.tif 000004
【図３】
2007264812.tif 000005
【図４】
2007264812.tif 000006
【図５】
2007264812.tif 000007
【図６】
2007264812.tif 000008
【図７】
2007264812.tif 000009
【図８】
2007264812.tif 000010
【図９】
2007264812.tif 000011
【図１０】
2007264812.tif 000012